Podtech/llm-jp-corpus-v4-ja_patent huggingface dataset:
(57)【要約】【課題】  本考案は、傘本体シ−ト部全体に地図や案内図をプリントし、柄の先に磁石を取り付けることにより、さらにその必要性を高めたもの。【解決手段】  本考案は傘本体が雨や日除けのための用具であると同時に、シ−ト部全体に印刷された地図、案内図が本来の役目として機能し、一層、価値を上げ重要なツ−ルにするため、傘の柄の先にＮ（北）極の磁石を装着することで、必要性、利便性、現在地や目的地へ到達できるという正確さを高め、道に迷うことによる危険性や無駄な労力を回避するためである。【選択図】  図１
0003106932.tif 000002
【実用新案登録請求の範囲】
【請求項１】
傘本体のシート部全体に地図を印刷し、孔部近くに小さく東西南北を表記し、Ｎ極を表示する磁石を柄の先に取り付けた、地図上の北と磁石の北方向を統一する磁石付き方向表示傘。
【考案の詳細な説明】
【技術分野】
【０００１】  本考案は、傘本体の柄の先に方向表示を示す磁石を取り付け、現在地、行き先方向を的確に理解できる傘である。
【背景技術】
【０００２】  さらに機能を的確なものにするために、本考案のＮ極磁石表示の取り付けにより、安全性と正確性を高めたものである。
【考案の開示】
【考案が解決しようとする課題】
【０００３】  傘本体の柄の先に方向表示付きの磁石を取り付けることにより、現在の自分の位置、目的地により早く危険を回避し確実に到達できる。
【課題を解決するための手段】
【０００４】  地図が正確なものでも、方向を確実に表示するものでなければ単なる絵柄の一つにすぎず、Ｎ極を示す磁石を取り付けることで解決できる。
【考案の効果】
【０００５】  上述の様に、単なる現在地や希望場所への案内だけでなく、無駄な労力や、知らない間に危険な方向への進行回避をするということも考慮している。
そこで東西南北の表記された地図付き傘ということのみならず、Ｎ極の磁石を取り付けることで、現在の自分の位置、行きたい場所、指定の場所に迷うことなく早く到達できるという、安全性、利便性の高さに、本考案の重要な意味付けがある。
そして、他と現在の位置確認を交信する際、エリアラインで区切られた箇所の番号を伝えることで、さらに利便性が増す。
【考案の実施するための最良の形態】
【０００６】  傘本体のシ−ト部全体に地図を印刷し、東西南北を表記し、北と傘本体の柄の先に取り付けた磁石のＮ極が同じ方向であること。
【実施例】
【０００７】  傘本体の石突き付近に、地図全体の一番理解したい箇所が中心にくることも、見やすくする配慮である。【０００８】  傘本体石突きを中心に点線を円上に入れることにより、エリアの区分けをすることで、さらに判りやすく便利なものになる。【０００９】  本考案の傘は、最近各地に増えているテ−マパ−クや、イベント会場、それぞれの地域により、シ−ト面の絵柄が不均衡で大胆な柄になり、一色でなく多色まで発展すれば、色の取り合わせで普遍的に柄が広がり、距離や場所の正確な位置を期するものに加え、デザイナ−、イラストレ−タ−、アニメ−タ−などの個性的な作業が加われば、傘としての機能とお洒落なファッショングッズとして発展するものである。
【図面の簡単な説明】
【００１０】
【図１】本考案の磁石付き方向表示傘を示す正面図
【図２】本傘の断面図
【図３】Ｎ（北）極表示磁石
【符号の説明】
【００１１】  １  傘本体
２  シ−ト
３  地図
４  嵌着部材
５  孔部
６  柄
７  石突き
８  柄の先
９  エリアライン
１０  Ｎ（北）極表示磁石
【図１】
0003106932.tif 000003
【図２】
0003106932.tif 000004
【図３】
0003106932.tif 000005
(57)【要約】      （修正有）【課題】フラッシュを内蔵したカメラで、被写体のバックに明るい壁又はふすま等があってもカメラのレンズとフラッシュの微妙な角度の差から影が生じないようにする。【解決手段】カメラレンズＤを取り囲むようにレンズのフレームに円形のフラッシュＣを内蔵することにより全角度から被写体を照らすためバックにフラッシュの影響による影が生じなくなる。【選択図】図-２
0003106939.tif 000002
【実用新案登録請求の範囲】
【請求項１】
カメラのレンズを取り囲むようにレンズのフレームに円形のフラッシュを内蔵したカメラ
【考案の詳細な説明】
【考案の詳細な説明】
【技術分野】
【０００１】  本考案はカメラのレンズを取り囲むようにレンズのフレームに円形のフラッシュを内蔵することにより、被写体を全角度から照らしバックに影を生じないように工夫したものである。
【背景技術】
【０００２】  従来は実開平６−３７８３８、  実開平７−１６９３２、実用新案登録第３０６７７６１号のように１〜４個のフラッシュを内蔵したカメラはあったが、レンズ全体を取り囲む円形のフラッシュはない。
【考案の開示】
【考案が解決しようとする課題】
【０００３】  従来のフラッシュを内蔵したカメラでは被写体のバックに明るい壁又はふすま等があればカメラのレンズとフラッシュの微妙な角度の差から影が生じていた。
【課題を解決するための手段】
【０００４】  カメラのレンズを取り囲むようにレンズのフレームに円形のフラッシュを内蔵することにより全角度から被写体を照らすためバックに影が生じなくなる。
【考案の効果】
【０００５】  ▲１▼  フラッシュの影響による影が生じなくなる。
▲２▼  カメラ全体のデザインがすっきりする。
【考案を実施するための最良の形態】
【実施例】
【０００６】  カメラのレンズのフレームの先端部分にレンズを取り囲むようにフラッシュを円形に内蔵して  写真撮影ができるようにする。
【図面の簡単な説明】
【０００７】  図−１，図−２，図−３いずれも寸法、形状、及びその比例関係は実物と異なります。【図−１】  円形フラッシュを内蔵したカメラの平面図である。
【図−２】  円形フラッシュを内蔵したカメラの正面図である。
【図−３】  円形フラッシュを内蔵したカメラの側面図である。
【符号の説明】
【０００８】    Ａ：シャッターボタン            Ｂ：電源スイッチ
Ｃ：フラッシュ                  Ｄ：カメラレンズ
【図−１】
0003106939.tif 000003
【図−２】
0003106939.tif 000004
【図−３】
0003106939.tif 000005
(57)【要約】      （修正有）【課題】必要性、利便性、現在地や目的への正確さを高め、道に迷うことによる危険性や無駄な労力を回避するための方向表示帽子を提供する。【解決手段】帽子本体が日除けや頭部を保護するための用具と同時に、クラウン部全体に印刷された地図、案内図が本来の役目として機能し、一層、価値を上げ重要なツ−ルにするため、帽子のツバの先端部中央にＮ（北）極の磁石を取り付ける。【選択図】図１
0003106933.tif 000002
【実用新案登録請求の範囲】
【請求項１】
帽子本体のクラウン部全体に地図を印刷し、前面を北として小さく東西南北を表記し、ツバの先端中央部分にＮ極を表示する磁石を取り付け、地図上の北と磁石の北方向を統一する磁石付き方向表示帽子。
【考案の詳細な説明】
【技術分野】
【０００１】  帽子本体のクラウン部全体に地図を描き、帽子のツバの先端部中央に方向表示をする磁石を取り付け、現在地、行き先方向を的確に理解できる帽子である。
【背景技術】
【０００２】  さらに機能を的確なものにするために、本考案のＮ極磁石表示の取り付けにより、安全性と正確性を高めたものである。
【考案の開示】
【考案が解決しようとする課題】
【０００３】  帽子のツバの先端中央部分に磁石を取り付けることにより、現在の自分の位置、目的地により早く危険を回避し確実に到達できる。
【課題を解決するための手段］【０００４】  地図が正確なものでも、方向を確実に表示するものでなければ単なる絵柄の一つにすぎず、Ｎ極を示す磁石を取り付けることで解決できる。
【考案の効果】
【０００５】  上述の様に、単なる現在地や希望場所への案内だけでなく、無駄な労力や、知らない間に危険な方向への進行回避をするということも考慮している。
そこで東西南北の表記された地図付き帽子ということのみならず、Ｎ極の磁石を取り付けることで、現在の自分の位置、行きたい場所、指定の場所に迷うことなく早く到達できるという、安全性、利便性の高さに、本考案の重要な意味付けがある。
そして、他と現在の位置確認を交信する際、エリアラインで区切られた箇所の番号を伝えることで、さらに利便性が増す。
【考案の実施するための最良の形態】
【０００６】  帽子本体クラウン部全体に印刷した地図に東西南北を表記し、北と帽子のツバの先端部中央のＮ極が同じ方向であること。
【実施例】
【０００７】  帽子本体のツマミ付近に、地図全体の一番理解したい箇所が中心にくることも、見やすくする配慮である。【０００８】  帽子本体のツマミを中心として点線を円状にラインを入れることにより、エリアを区分けすることで、さらに判りやすく便利なものになる。【０００９】  本考案の帽子は、最近各地に増えているテ−マパ−クや、イベント会場、それぞれの地域により、クラウン全体の絵柄が不均衡で大胆な柄になり、一色でなく多色まで発展ずれば、色の取り合わせで普遍的に柄が広がり、距離や場所の位置は正確を期するものに加え、デザイナ−、イラストレ−タ−、アニメ−タ−などの個性的な作業が加われば、帽子としての機能とお洒落なファッショングッズとして発展するものである。
【図面の簡単な説明】
【００１０】
【図１】本考案の磁石付き方向表示帽子を示す正面図
【図２】本帽子の断面図
【図３】Ｎ（北）極表示磁石極
【符号の説明】
【００１１】  １  帽子本体
２  クラウン
３  地図
４  ツマミ
５  ツバ
６  エリアライン
７  Ｎ（北）極表示磁石
【図１】
0003106933.tif 000003
【図２】
0003106933.tif 000004
【図３】
0003106933.tif 000005
(57)【要約】【課題】  彫刻刀は、柄部に装着された刃型と、該刃型によって彫られた彫り型（彫られた形状）とは一致しないため、彫刻刀の柄の部分であって、該彫刻刀の柄の部分の一部に、その刃体を使用して彫った場合の跡の形状を、表示する等の手段を設けることにより、使用者が、自分が表したい形（彫り型）の彫刻刀を捜し出して使用すれば、自然にその刃型を用いて彫ることができ、さらに、刃体により彫った形状が、素早く認識できる彫刻刀の開発・提供を目的とするものである。【解決手段】  彫刻刀において、彫刻刀本体（１）の柄（２）に、該柄（２）に装着される刃体（３）を用いて彫られた跡の形状の図形（４）を表示したことを特徴とする彫刻刀。【選択図】        図１
0003106540.tif 000002
【実用新案登録請求の範囲】
【請求項１】
彫刻刀において、彫刻刀本体（１）の柄（２）に、該柄（２）に装着される刃体（３）を用いて彫られた跡の形状の図形（４）を表示したことを特徴とする彫刻刀。
【考案の詳細な説明】
【技術分野】
【０００１】
この考案は、彫刻刀に関する。
【背景技術】
【０００２】
従来、彫刻刀は、小学生の工作から芸術家の作品制作にまで使用されるものであり、この彫刻刀は、通常、一セットで販売されており、そのケースの中に、異なった形状の刃体を装着したものが、複数本設けられている。
【０００３】
そして、これらの彫刻刀を出して、作品を刃体で彫る場合、一々、その都度、使用する彫刻刀の刃体の断面形状を確認してから彫る必要があり、この確認作業が、結構、煩雑であった。即ち，作品の制作に集中すると、使用する刃の確認が疎かになり、誤って、使用する予定のない彫刻刀の刃体で彫ってしまうことが、往々にしてあり、不便であった。
【０００４】
そこで、彫刻刀の柄の上端に、それぞれ刃体の形状を模した目印を形成した彫刻刀が存在する。（例えば、特許文献１のように）
【特許文献１】登録第２５７６６９４号実用新案公報
【０００５】
しかしながら、この彫刻刀は、柄の上端部に刃の形状を模した目印を設けたものであり、これらの彫刻刀をケースから取り出す際には、識別選択することができるが、一旦、すべての彫刻刀をケースから出してしまい、作品の近傍に置いてしまえば、その都度、一々、柄の上端部に刃の形状を模した目印を確認することは困難であった。
【考案の開示】
【考案が解決しようとする課題】
【０００６】
そこでこの考案は、彫刻刀を掴み、作品等を彫る寸前にも、自然に、刃体により彫った形状が、素早く認識できる彫刻刀の開発・提供を目的とするものである。
【課題を解決するための手段】
【０００７】
そして、この考案は、彫刻刀の柄の部分であって、刃体の近傍に、その刃体を使用して彫った場合の跡の形状を、目印として表示した彫刻刀である。
【考案の効果】
【０００８】
この考案によると、そもそも彫刻刀の刃型と該刃型によって彫られた彫り型（彫られた形状）とは一致しないため、彫刻刀の柄の部分であって、該柄に、その刃体を使用して彫った場合の跡の形状を設ることにより、自分が表したい形（彫り型）の彫刻刀を捜して使用すれば、自然にその刃型を用いて彫ることができ、極めて有益なる効果を奏する。
【考案を実施するための最良の形態】
【０００９】
以下、図面とともにこの考案による彫刻刀の一実施例を詳述すると、彫刻刀において、彫刻刀本体（１）の柄（２）であって、刃体（３）のつけ根部近傍に、該刃体（３）によって彫られた跡の形状の図形（４）を表示したことを特徴とする彫刻刀から構成される。
【００１０】
尚、上記の刃体（３）によって彫られた跡の形状の図形（４）とは、一個でもよく、また、複数個の図形を表示してもよいものである。
【００１１】
また、図に示すように、（ａ）は、丸刃であり、（ｂ）は、小丸刃であり、（ｃ）は、平刃であり、（ｄ）は、切り出し刃であり、（ｅ）は、角刃である。
【００１２】
そして、彫刻刀で彫られた跡の形状の図形（４）とは、一個でもよく、また、複数個の図形を表示してもよいものである。さらに、彫刻刀で彫られた跡の形状の図形は、実際に彫った状態で示されていてもよい。
【産業上の利用可能性】
【００１３】
この発明は、彫刻刀の実用的な加工技術を確立し、かつ、製造・販売することにより、産業上の利用可能性を有する。
【図面の簡単な説明】
【００１４】
【図１】この考案の一実施例を示し、（ａ）は、丸刃、（ｂ）は、小丸刃、（ｃ）は、平刃、（ｄ）は、切り出し刃、そして（ｅ）は、角刃である彫刻刀の平面図である。
【符号の説明】
【００１５】
１  彫刻刀本体
２  柄
３  刃体
４  図形
【図１】
0003106540.tif 000003
【手続補正書】
【提出日】平成16年8月11日(2004.8.11)
【手続補正１】
【補正対象書類名】明細書
【補正対象項目名】００１２
【補正方法】変更
【補正の内容】
【００１２】
そして、彫刻刀で彫られた跡の形状の図形（４）とは、一個でもよく、また、複数個の図形を表示してもよいものである。さらに、彫刻刀で彫られた跡の形状の図形は、実際に柄（２）に彫った状態で示されてもよいし、彫刻刀で彫られた跡の形状の図形をシールに描出し、それを柄（２）に貼ってもよい。
(57)【要約】【課題】  ダイセットのガイドポスト用の消音ガスケットを提供する。【解決手段】  合成樹脂製環状体の側壁の適当な箇所に金属製環状プレートを備えた。【効果】  ガスケットは十分な耐圧強度と弾性を有するので、ガスケットをダイセットのガイドポストのロックエンドに設けると、長い間ダイプレートに繰返し衝接しても衝撃音が発生せず、金属叩打音が除去される。【選択図】      図２
0003106534.tif 000002
【実用新案登録請求の範囲】
【請求項１】
弾性を有する合成樹脂製環状体の側壁の適当な箇所に金属製の環状プレートを備えたことを特徴とするダイセットのガイドポスト用消音ガスケット。
【請求項２】
金属製環状プレートは直接に金属製環状体の側壁の内部に埋設されていることを特徴とする請求項１記載のダイセットのガイドポスト用消音ガスケット。
【請求項３】
金属製環状体の上面と底面の少なくとも一方に、凹溝が設けられていることを特徴とする請求項１又は２記載のダイセットのガイドポスト用消音ガスケット。
【考案の詳細な説明】
【技術分野】
【０００１】
本考案は、ダイセットのガイドポスト用消音ガスケットに関する。
【背景技術】
【０００２】
大きい騒音の中では、マシン操作者の精神的疲労や作業効率低下を招きやすいばかりでなく、配慮しないと，職場の傷害をもたらす恐れもある。それゆえ、製造プロセスから発生する騒音をできるだけ低減することは、長い間、求められてきた。
【０００３】
一般的に、ダイセットの稼働工程においては，ダイプレートの型締め、型開きが頻繁に行われる。そして、従来、ダイプレートの位置決めは、ガイドポストのロックエンドの環状フランジを直接に利用して行っている。
【考案の開示】
【考案が解決しようとする課題】
【０００４】
しかし，ガイドポストのロックエンドがダイプレートの止め板に繰返し衝接しているうちに、金属の相互接触による騒音が出て来る。この騒音はダイプレートの型開き・型締め回数が増加するにつれて大きくなる。今日まで、これに対する適当な解決手段がないため，騒音の問題はダイセット運転技術により改善しなければならなかった。これは生産能率の制約要素となる問題があった。
【０００５】
従って、本考案の主な目的は、ダイセットのガイドポストのロックエンドがダイプレートに当たって発生する金属的衝撃音を除くための消音ガスケットを提供することにある。
【課題を解決するための手段】
【０００６】
上記目的は、本考案による、弾性を有する合成樹脂製環状体の側壁の適当な箇所に金属製環状プレートを備えたガスケットにより達成することができる。
【０００７】
金属製環状プレートは、直接に環状体の側壁の内部に埋設されても良い。これにより，両者間の結合固定性が向上される。
【０００８】
また，環状体の上面と底面の少なくとも一方に、凹溝を設けることがよい。これにより、ダイプレートに対する接触面積が減るので，環状体の耐圧強度を低減させない条件で、優れた弾性、強靭性を持ち、衝撃、振動を軽減する効果を奏することができる。
【考案の効果】
【０００９】
請求項１の考案によれば、ガスケットは十分な耐圧強度と弾性を有するので、ガスケットをダイセットのガイドポストのロックエンドに設けると、長い間ダイプレートに繰返し衝接しても衝撃音が発生せず、金属叩打音が除去される。
【００１０】
請求項２の考案によれば、合成樹脂製環状体と金属製環状プレートの結合固定性が向上する。
【００１１】
請求項３の考案によれば、ガスケットのダイプレートに対する接触面積が減るので，衝撃・振動をより一層軽減することができる。
【考案を実施するための最良の形態】
【００１２】
以下に、本考案の実施例について図面を参照しながら詳しく説明する。
図１は本考案の実施例１の外観図、図２は本考案の実施例１の断面図、図３は本考案の実施例１の使用状態を示すダイセットの要部の断面図、図４は本考案の実施例２の使用状態を示す説明図、図５は本考案の実施例２の外観図、図６は本考案の実施例２の断面図である。
【実施例１】
【００１３】
まず、図１及び図２に示すように、本考案に係るダイセットのガイドポスト用消音ガスケット１は、合成樹脂製環状体１０と金属製環状プレート２０とから構成されており、合成樹脂製環状体１０は、外周に凹溝を有し、その凹溝に金属製環状プレート２０が嵌め込まれて一体的に結合されている。環状体１０に環状プレート２０を保持する構造は任意であり、環状体の側壁の適当な箇所に凹凸嵌合により固定しても良い。
【００１４】
合成樹脂製環状体１０と金属製環状プレート２０から構成されるガスケット１は、図３及び図４に示すように、ダイセットのガイドポストａのロックエンドａ１に設けられる。ロックエンドａ１がダイプレートｂの止めエッジに当たるときに、介入される合成樹脂製環状体１０で振動を吸収したり，金属叩打音を吸収したりするほかに、金属製環状プレート２０により耐圧強度もアップされ，ガスケットの寿命を大幅に向上させる。
【実施例２】
【００１５】
上述のダイセットのガイドポスト用の消音ガスケット１は，図５及び図６に示すように、ガスケットを成形する際に、金属製環状プレート２０を合成樹脂製環状体１０の内部に埋設することにより一体化構造を備えても良い。これにより、両者の結合性を向上するとともに、人手による組立作業を免除することができる。
また、環状体１０の上面と底面に凹溝１１を設けると、ダイプレートｂに対する接触面積が減るので、環状体１０の耐圧強度を低下させない条件で、優れた弾性と強靭性を備えて、衝撃・振動を軽減させる効果を達成することができる。
【図面の簡単な説明】
【００１６】
【図１】本考案の実施例１の外観図。
【図２】本考案の実施例１の断面図。
【図３】本考案の実施例１の使用状態を示すダイセットの要部の断面図。
【図４】本考案の実施例２の使用状態を示す説明図。
【図５】本考案の実施例２の外観図。
【図６】本考案の実施例２の断面図。
【符号の説明】
【００１７】
１    ガスケット
１０    合成樹脂製環状体
２０    金属製環状プレート
ａ      ガイドポスト
ａ１    ロックエンド
ｂ      ダイプレート
【図１】
0003106534.tif 000003
【図２】
0003106534.tif 000004
【図３】
0003106534.tif 000005
【図４】
0003106534.tif 000006
【図５】
0003106534.tif 000007
【図６】
0003106534.tif 000008
(57)【要約】      （修正有）【課題】素焼きの陶器と漆器の特性を併せ持つビアカップを提供する。【解決手段】素焼きの陶器１の表面を研磨することで、漆塗り層２の陶器へのくいつきをよくし、さらに、蒔絵・沈金等の加飾３を施す事により双方の特性を持つビアカップを提供する。【選択図】図１
0003106550.tif 000002
【実用新案登録請求の範囲】
【請求項１】
表面を研磨した素焼きの陶器１の外面及び内面の一部に漆塗り層２を形成し、その外面に蒔絵・沈金等の加飾３を施したビアカップ。
【考案の詳細な説明】
【考案の開示】
【考案が解決しようとする課題】
【０００１】素焼きの陶器のもつ特性と、漆器のもつ特性を併せ持つビアカップを提供せんとする。
【課題を解決するための手段】
【０００２】表面を研磨した素焼きの陶器の外面及び内面の一部に漆塗層を形成し、さらに外面の表面に蒔絵・沈金などの加飾を施すことにより、漆器の特徴も併せ持つようにした。
【考案の効果】
【０００３】ビアカップの内面は素焼きの陶器のままであるので、従来の漆器によるそれに比べビールの泡立ちが非常にきめ細かくまた保冷性においても優れている。また、外面は漆塗りであるので素焼きの陶器のようなざらついた感じは無く、肌に吸い付く様な手触りをもち、より快適に飲酒を楽しめる。
【図面の簡単な説明】
【０００４】
【図１】  ビアカップの断面図である。
【符号の説明】
【０００５】１  素焼きの陶器
２  漆塗り層
３  蒔絵・沈金等の加飾
【図１】
0003106550.tif 000003
(57)【要約】【目的】  扇形ビームを有し、かつ広いビーム覆域で高い利得を持つパッチアンテナを得ること。【構成】  パッチアンテナを構成する金属地板の１辺Ｗが１．３λ≦Ｗ≦１．７λである。ただし、λは使用する電波の波長である。【選択図】  図４
0003106547.tif 000002
【実用新案登録請求の範囲】
【請求項１】
金属地板と金属パッチで構成されたパッチアンテナにおいて、使用する電波の波長をλとするとき、上記金属地板の１辺Ｗが１．３λ≦Ｗ≦１９λであることを特徴とするパッチアンテナ。
【請求項２】
金属地板として銅箔張り誘電体基板を用いたことを特徴とする請求項１に記載のパッチアンテナ。
【考案の詳細な説明】
【技術分野】
【０００１】  本考案は、金属地板と金属パッチで構成されたパッチアンテナに関する。
【背景技術】
【０００２】  パッチアンテナは一般に薄型・軽量で量産性に優れ、かつ指向性が単方向性であるため、通信用などの用途に広く使われている。マイクロ波帯の高利得のアンテナとしては、パッチアンテナを素子アンテナとするアレーアンテナとして用いられるが、ＵＨＦ以下の比較的低い周波数帯でかつ要求される利得が比較的低い場合にはパッチアンテナが単独で用いられる。【０００３】  パッチアンテナが単独で用いられる場合、パッチアンテナには広い角度覆域を広いビームで、かつできるだけ高い利得でカバーすることが要求される。例えば、移動体通信の基地局アンテナに用いる場合には、水平面内にパッチアンテナを４個配置しそれぞれが９０°の角度覆域を受け持つことになる。
【考案の開示】
【考案が解決しようとする課題】
【０００４】  しかし、従来のパッチアンテナの設計では金属地板をできるだけ大きく、すなわち理想的な無限大地板に近い状態での放射パターンと利得で設計がなされている。このため、ビーム形状がほぼ固定されるためビーム覆域の端部で利得が低いことが問題になる。これを解決するためビーム形状を扇形ビームに成形しようとすると、複数のパッチアンテナを配列してアレーアンテナとし、各パッチアンテナの励振の振幅・位相を調整して所望の扇形ビームを作る必要がある。その結果、アンテナは大きくなり、給電回路が複雑になるという問題がある。【０００５】  本考案のパッチアンテナは、上記の問題を解決するためになされたもので、図１に示す金属パッチ（１）と金属地板（２）で構成されたパッチアンテナ（３）において、金属地板（２）の寸法Ｗを最適な値に選定している。【０００６】  図２は、パッチアンテナのＥ面（電界面）放射パターンの測定例であり、金属地板の寸法Ｗをパラメータにしている。λは使用する電波の波長である。図から明らかなように、寸法Ｗが１λでは放射ビームが細く、例えば４５°方向でのレベル低下は正面方向レベルに対して約５ｄＢもある。しかし、寸法Ｗが１．４λ、１．８λとするとビームが広くなり、４５°方向でのレベル低下が小さくなる。ただし、図２は相対的なレベル変化を示しており、寸法Ｗを変えたときのパッチアンテナの絶対利得で比較する必要がある。【０００７】  図３は、寸法Ｗに対する４５°方向の絶対利得の測定結果であり，数値は相対値である。図３より、４５°方向の利得は寸法Ｗに対して極大値をもつこととが分かる。すなわち、金属地板の寸法Ｗには最適値があることが分かる。この最適値の範囲は大体１．３λ≦Ｗ≦１．９λである。
【考案の効果】
【０００８】  本考案では、パッチアンテナは１つのままで所望の扇形ビームが実現でき、かつビーム端部で最適な利得を得ることができる。したがって、小形軽量で低コスト、かつビーム覆域能力の高いパッチアンテナを提供することができる。
【考案を実施するための最良の形態】
【０００９】  以下、本考案によるパッチアンテナを実施するための最良な形態について、図面を参照して説明する。
【実施例】
【００１０】  図４は、本考案によるパッチアンテナの１実施例の構成図を示す。図において、（１ａ）、（１ｂ）は金属パッチ、（４）は銅箔張り誘電体基板、（５）はマイクロストリップ線路、（６）は給電端である。図４の実施例では、利得をより高くするために垂直方向に金属パッチを２つ並べている。また、水平方向の金属地板の寸法は１．４λ（λは電波の波長）である。【００１１】  図５は、図４の実施例によるパッチアンテナの水平面内放射パターンの測定結果である。放射パターンはほぼ扇形のビーム形状になっており、例えば４５°方向のレベル低下も約１．５ｄＢと小さい。
【産業上の利用可能性】
【００１２】  実施例では、金属パッチの形状が方形であったが、その形状は円形でも本考案は同様に実施できる。【００１３】  また、実施例では垂直方向に金属パッチが２つであったが、その個数は１でも３以上でも本考案の効果は変らない。【００１４】  また、実施例では、金属地板として銅箔張り誘電体基板を用いたが、銅張りハネカム基板や通常の金属板でも構わない。【００１５】  実施例では、パッチアンテナのＥ面（電界面）の放射パターンに主眼を置いて本考案を実施したが、Ｈ面（電界と直交する面）の放射パターンに主眼を置いて本考案を実施することもできる。
【図面の簡単な説明】
【００１６】
【図１】  パッチアンテナの説明図である。
【図２】  パッチアンテナの放射パターンの特性図である。
【図３】  パッチアンテナの４５°方向利得の特性図である。
【図４】  本考案によるパッチアンテナの一実施例の構成図である。
【図５】  本考案によるパッチアンテナの実施例における放射パターンの特性図である。
【符号の説明】
【００１７】  １；金属パッチ
２；金属地板
３；パッチアンテナ
４；銅箔張り誘電体プリント基板
５；マイクロストリップ線路
６；給電端
【図１】
0003106547.tif 000003
【図２】
0003106547.tif 000004
【図３】
0003106547.tif 000005
【図４】
0003106547.tif 000006
【図５】
0003106547.tif 000007
(57)【要約】【課題】  塗装作業に伴う養生を効率よく行う為、伸縮棒の後端にＵ形板を設け、先端にクリップを設けた塗装用養生器具を提供する。【解決手段】  伸縮棒（１）の後端に支軸板（２）を介してＵ形板（３）を設け、Ｕ形板（３）の側部に止ネジ（４、４）を設ける、さらに伸縮棒（１）の先端にクリップ（５）を設け、クリップ（５）の開口部（６）にゴム膜（７）を設けたことを特徴とする塗装用養生器具。【選択図】  図１
0003106549.tif 000002
【実用新案登録請求の範囲】
【請求項１】
（イ）伸縮棒（１）の後端に、支軸板（２）を介してＵ形板（３）を設け、Ｕ形板（３）の側部に止ネジ（４、４）を設ける。
（ロ）伸縮棒（１）の先端にクリップ（５）を設け、クリップ（５）の開口部（６）にゴム膜（７）を設ける。
以上の構成によりなる塗装用養生器具。
【考案の詳細な説明】
【技術分野】
【０００１】  本考案は、塗装作業の時に窓等の養生をする為、伸縮棒の後端にＵ形板を設け先端にクリップを設けた、塗装用養生器具に関するものである。
【背景技術】
【０００２】  従来、塗装作業の時に行う養生は、窓等をビニールシート等で被い周囲を粘着テープで止めたり、窓枠と足場にシートを粘着テープで止める等していた。
【考案の開示】
【考案が解決しようとする課題】
【０００３】  これは次のような欠点があった。
（イ）窓がシートで被われる為、室内の通気が悪く、塗料の臭気が室内に充満し、生活者に不愉快な思いをさせていた。
（ロ）シートを窓と足場に固定する為、雨等が降った場合シートに雨が溜っていた。
（ハ）被いが固定される為、雨戸の開閉ができない欠点があった。
（ニ）又シートの脱着には時間と手間を要した。
本考案は、以上の欠点を解決する為になされたものである。
【課題を解決するための手段】
【０００４】  伸縮棒（１）の後端に、支軸板（２）を設け、支軸板（２）の正面にＵ形板（３）をＴ字形に設け、Ｕ形板（３）の側部に止ネジ（４、４）を設ける、さらに伸縮棒（１）の先端にクリップ（５）を設け、クリップ（５）の開口部（６）にゴム膜（７）を設ける。
本考案は、以上の構成よりなる塗装用養生器具である。
【考案の効果】
【０００５】  本考案を使用することによって、次のような効果を奏する。
（イ）設置や撤去の時間が短縮し、作業効率がよくなる。
（ロ）設置場所が窓に限らず、広く塗装現場に利用できる、さらに器具を短縮して携帯でき便利である。
（ハ）雨等が降った場合、角度を変えシートに雨が溜らないようにできる。
（ニ）又幅広い養生を行う時は、養生器具の数を増せばよく、好都合である。
（ホ）窓に取り付けた養生器具は、短くしたり水平に調節でき、窓の開閉や外気導入及び上からの塵や、雨よけに役立つ。
（ヘ）技術的にやさしく低コストで工業生産に向いている。
【考案を実施するための最良の形態】
【０００６】  以下、本考案の実施の形態を説明する。
金属又はプラスチックからなる伸縮棒（１）を設け、伸縮棒（１）の後端に縦のはめ込み口（８）をコの字形に設け、はめ込み口（８）に対して直角となる穴（９、９）を設ける。【０００７】  又、他に略三角形の支軸板（２）を設け、その一角をはめ込み口（８）に差し込み、穴（９、９）と重なる所に穴（９）を設ける、そして穴（９、９、９）を貫通して蝶ネジ（１１）を設け、伸縮棒（１）と支軸板（２）を連結し、蝶ネジ（１１）の先に雌ネジ（１７）を設ける。【０００８】  さらに長方形の金属板をコの字形に曲げたＵ形板（３）を設け、その側面中間に支軸板（２）の正面をＴ字形に固着する、そして支軸板（２）を間にしてＵ形板（３）の側部に雌ネジ穴（１０、１０）を設け、雌ネジ穴（１０、１０）に指で回わせる止ネジ（４、４）を設ける。【０００９】  又、伸縮棒（１）の先端を圧延して平板（１２）にし、平板（１２）の中心に穴（９）を設ける、一方クリップ（５）の支点軸（１３）にコイルばね（１４）を設け、摘み部（１５）の一方に穴（９）を設け、平板（１２）と摘み部（１５）の内側を重ね、穴（９、９）を貫通して平ネジ（１６）を設け、平板（１２）と摘み部（１５）を連結し、平ネジ（１６）の先に雌ネジ（１７）を設ける、そしてクリップ（５）の開口部（６）に滑り止めのゴム膜（７）を接着固定する。
本考案は、以上の構成よりなっている。【００１０】  本考案を使用するときは、窓枠にＵ形板（３）をはめ込み、止めネジ（４、４）を締めて伸縮棒（１）を固定する、そして蝶ネジ（１１）を緩縮して伸縮棒（１）の角度を定め、さらに伸縮棒（１）を伸ばして長さを調節する、このようにして適当な間隔で何本かの養生器具を取り付け、シートの縁をクリップ（５）の開口部（６）で止め、伸縮棒（１）の上を被ってシートを伸ばし、その先を粘着テープで窓枠等に固定する、又必要に応じクリップ（５）の向きを変え保護すべき場所の養生ができる。
【図面の簡単な説明】
【００１１】
【図１】本考案の全体斜視図
【図２】本考案の分解斜視図
【図３】本考案の使用状態を示す斜視図
【図４】本考案の折り畳み状態を示す斜視図
【符号の説明】
【００１２】  １  伸縮棒
２  支軸板
３  Ｕ形板
４  止ネジ
５  クリップ
６  開口部
７  ゴム膜
８  はめ込み口
９  穴
１０  雌ネジ穴
１１  蝶ネジ
１２  平板
１３  支点軸
１４  コイルばね
１５  摘み部
１６  平ネジ
１７  雌ネジ
【図１】
0003106549.tif 000003
【図２】
0003106549.tif 000004
【図３】
0003106549.tif 000005
【図４】
0003106549.tif 000006
(57)【要約】【課題】  本考案は、修正ペンとボールペンを一体化し、これ一本を携帯することによって、どこにいても即座にボールペンの書き間違いを訂正修正することを可能にする。【解決手段】  本考案は、修正ペンとボールペンを一つのペン軸本体１ａの両端に設けて一体化したものであり、ペン軸１ａ廻りを修正液タンク１ｂとみなして形成された修正ペン部分、及びその中心中空部１ｅに挿入収納されるボールペンインク軸２ｂが合体して一体化した構造をもつ。それにより便利さ・携帯性を実現することができる。【選択図】  図２
0003106571.tif 000002
【実用新案登録請求の範囲】
【請求項１】
ボールペンの円筒状軸廻りを、隠蔽消去する修正液タンクとし、それによってできた円筒中空部をボールペンインク軸収納部とすることで、修正ペンおよびボールペンを一体化した筆記具。
【考案の詳細な説明】
【考案の詳細な説明】
【技術分野】
【０００１】  ペン軸の両端に修正ペンとボールペンを設け、一体化した筆記具に関するものである。
【背景技術】
【０００２】  ボールペンで書かれた誤字等の訂正修正は、別の修正ペンに持ち替えて行われるのが常であった。また、外出時においては常に両方を携帯しなければならず不便であった。
【考案が解決しようとする課題】
【０００３】  ボールペンでの書き間違い等を訂正修正したい時に、修正ペンを持ち合わせていないことがよくあるが、２本線を引いて消去するのはあまり綺麗ではない。そんな時に修正ペンがそばにあれば綺麗に修正できるが、それぞれのペンを常に携帯しなくてはならなかった。本考案は、それぞれを一体化することによって、前述の欠点を解決しようとするものである。
【課題を解決するための手段】
【０００４】  本考案は、修正ペン・ボールペンを一つのペン軸の両端に設けて一体化するものであり、ペン軸廻りを修正液タンクとみなして形成された修正ペン部分、及び、その中心中空部に挿入収納するボールペン部分を組み合わせて一体化することにより、上述の問題点を解決している。
【考案を実施するための最良の形態】
【０００５】  修正ペン部分は、ペン軸廻りを二重壁の円筒にすることにより修正液タンクを形成し、ペン軸を振ることにより内部の移動攪拌球が修正液をペン先に送りだす。また、ボールペン部分は、円筒状中空部に従来どうりのインク軸が収納される。よって構造形態は、修正ペン部分が凹状、ボールペン部分が凸状と考えること
0003106571.tif 000003
【実施例】
【０００６】  以下、添付図面に従って実施例を説明する。１ａは耐久性のプラスチック等適宜素材にて形成されたペン軸本体（修正ペン軸本体でもある）。１ｂは修正液タンクで、１ｃのステンレス移動攪拌球によって液が１ｄ修正ペン先に送られる。１ｅは中空部であり、ボールペンインク軸２ｂが挿入収納され、一体化された構造となる。
【考案の効果】
【０００７】  上述のような構造により、ボールペン本体は修正ペン本体の中心中空部に挿入収納されるため、一体化され携帯するのにも適す。また、修正液タンクも従来より容量が大きいため、長期間の使用が可能である。その間にボールペンインクが無くなった場合は、スペアインクを用意することにより新しいものに取り替えることができる。頻繁に、大量に、文書や図面をチェックする時、最適である。
【図面の簡単な説明】
【図１】  本考案に係る修正ペン付ボールペン実施例を示す側面図である。
【図２】  本考案の全体構造を示す横断面図である。
【図３】  本考案のＸ−Ｘ部分における縦断面図である。
【図４】  本考案における修正ペン部分を抜粋した横断面図である。
【図５】  本考案におけるボールペン部分を抜粋した横断面図である。
【符号の説明】
１ａ  ペン軸本体（修正ペン軸本体）
１ｂ  修正液タンク
１ｃ  ステンレス攪拌球（可動）
１ｄ  修正ペン  ペン先
１ｅ  中心中空部分
２ａ  ボールペン  ペン先
２ｂ  ボールペン  インク軸
２ｃ  ボールペン  先軸カバー（金属）
２ｄ  気圧調整小穴
３    専用ふた
【図１】
0003106571.tif 000004
【図２】
0003106571.tif 000005
【図３】
0003106571.tif 000006
【図４】
0003106571.tif 000007
【図５】
0003106571.tif 000008
(57)【要約】      （修正有）【課題】既存の扇風機に容易に取り付け可能なＡＣ１００Ｖを制御電源とした空気イオン発生装置を提供する。【解決手段】扇風機ＡＣプラグ２を挿入するＡＣソケット４及び電源スイッチ５を備えたソケットユニット３と放電針１２及び高圧電源１３を収納した小形の放電ユニット１１から構成され、放電ユニット１１を扇風機の保護カバー９の前面中央部に固定具１０で固定し、扇風機の架台６に設置したソケットユニット３と放電ユニット１１の間をＡＣケーブル６で接続する。これによりソケットユニット３は扇風機及び高圧電源の制御電源を供給し電源配線を簡潔に処理することができる。放電ユニット１１は扇風機の保護カバー９の前面中央部に固定具１０で固定しているのでイオン化された空気を扇風機ファンの風量を最大限に活用して遠方まで拡散させることができる。【選択図】図１
0003106573.tif 000002
【実用新案登録請求の範囲】
【請求項１】
高圧電源及び放電針を収納し、固定具を備えた放電ユニットと、ＡＣ１００Ｖ制御電源に接続したＡＣソケット及び電源スイッチを収納したソケットユニットの組み合わせで構成され、放電ユニットとソケットユニット間を電線で結合した構造の扇風機に取り付ける空気イオン発生装置。
【考案の詳細な説明】
【技術分野】
【０００１】本考案は扇風機に取り付け可能な空気イオン発生装置に関する。
【背景技術】
【０００２】扇風機本体に放電式の空気イオン発生装置を製品として一体化し組み込んだ技術は、例えば特開２００２−３０３２９６のように公知である。しかし既存の扇風機に後付けで容易に取り付け可能な放電式の空気イオン発生装置はなかった。
【考案の開示】
【考案が解決しようとする課題】
【０００３】取り付ける放電式の空気イオン発生装置はＡＣ１００Ｖを制御電源とする。このため空気イオン発生装置の制御電源は、扇風機の制御電源と共有することになるので電源接続が簡易にできることが要求される。また、発生する空気イオンを扇風機の風を利用して拡散するには、放電部の位置をファンの前面中央部に設置することが最適であるため容易に取り付けが可能で、付加する装置は小形軽量でなければならない。加えて安価なものであることが望ましい。
【課題を解決するための手段】
【０００４】高圧電源及び放電針を収納した放電ユニットと、ＡＣ１００Ｖ制御電源に接続されたＡＣソケット及び電源スイッチを収納したソケットユニットの組み合わせで構成され、放電ユニットとソケットユニット間をＡＣケーブルで接続した構造の空気イオン発生装置を提供する。放電ユニットは扇風機保護カバーの前面中央部に固定し、ソケットユニットは扇風機の架台上に設置する。扇風機のＡＣプラグはソケットユニットのＡＣソケットに挿入する。
【考案の効果】
【０００５】扇風機と放電式空気イオン発生器の組み合わせが後付けで可能であり、扇風機の制御電源はソケットユニットから供給するため、わざわざ別の既設コンセントに接続する必要がなくなり配線処理が簡単である。また放電ユニットが扇風機のファン前面に位置するので、放電ユニットから放出されるイオン化された空気は、ファンの風に押し出され易くなるため、空気の拡散が遠方まで広がり、空気清浄能力が高められる。
【考案を実施するための最良の形態】
【０００６】放電ユニットは扇風機保護カバーの前面中央部に固定するため小形軽量とし、放電針には容易に人の指などが触れられない構造にする。ソケットユニットは扇風機の架台上に配置しＡＣプラグの挿入、電源スイッチの操作が容易となる構造にする。以下実施例により考案実施の態様を説明する。
【実施例】
【０００７】一実施例について図面を参照して説明する。
図１は本考案の側面斜視図を示す。ＡＣ制御電源はＡＣ入力プラグ１から入力する。ソケットユニット３に組み込まれているＡＣソケット４には扇風機ＡＣプラグ２を挿入する。電源スイッチ５は放電ユニット１１のＡＣ電源を制御するもので、ＡＣケーブル８を経て高圧電源１３に接続している。高圧電源１３の出力は放電針１２に接続し、イオン化された空気は放電ユニット１１の前面から放出される。固定具１０は、放電ユニット１１を保護カバー９の前面中央部に固定するものである。また配線固定具７によりＡＣケーブル８を固定する。ソケットユニット３は、扇風機架台６の上に設置する。ＡＣプラグ４と電源スイッチ５は連動していないため扇風機と空気イオン発生装置は、それぞれ単独の運転が可能である。空気イオンの拡散を効果的にするためには扇風機とイオン発生装置を同時に運転し、イオン化された空気をファンの風量で拡散させる。
【図面の簡単な説明】
【図１】本実施の形態に係わる扇風機に空気イオン発生装置を取り付けた状態を示す側面斜視図である。
【符号の説明】
１    ＡＣ入力プラグ
２    扇風機ＡＣプラグ
３    プラグユニット
４    ＡＣソケット
５    電源スイッチ
６    扇風機架台
７    配線固定具
８    ＡＣケーブル
９    保護カバー
１０  固定具
１１  放電ユニット
１２  放電針
１３  高圧電源
【図１】
0003106573.tif 000003
(57)【要約】【課題】ゴミ容器の蓋を手で開け、蓋を嵩張らず置けて、清潔さも向上させ、コストも安いゴミ容器の蓋を提供する。【解決手段】蓋（２）の裏側にフック（３）を設けたことを特徴とする。【選択図】  図  １【実用新案登録請求の範囲】
【請求項１】
蓋（２）の裏側にフック（３）を設けたゴミ容器の蓋。
【考案の詳細な説明】
【技術分野】
【０００１】  この考案は、ゴミ容器の蓋の置場を設けるために蓋にフックを取付けたゴミ容器の蓋に関するものである。
【背景技術】
【０００２】  従来、分離されたゴミ容器と蓋に於いて、ゴミ容器から蓋を開けたとき、蓋の置き場は適当な所に置いていた。
【発明が解決しようとする課題】
【０００３】  そのために、次のような欠点があった。
（イ）蓋を一時的に開けたままにする為には蓋の置場が必要になる。
（ロ）蓋の置場は何となく不潔で、清潔さを保つ配慮があった。
本発明はこれらの欠点を除くためになされたものである。
【課題を解決するための手段】
【０００４】  ゴミ容器（１）の蓋（２）にフック（３）を設ける。
本発明は、以上の構成からなるゴミ容器の蓋である。
【考案を実施するための最良の形態】
【０００５】  以下、本発明の実施の形態について説明する。
ゴミ容器（１）と、その蓋（２）の裏側にフック（３）を設ける。【０００６】  本発明は以上のような構造で、これを使用するときはゴミ容器（１）の蓋（２）を開け、ゴミ容器（１）の開口部のふち（４）や蓋留め金具（５）に蓋（２）の裏に設けたフック（３）で引っ掛ける。
【発明の効果】
【０００７】  ゴミ容器の蓋がゴミ容器に添って引っ掛けられているので嵩張らず開け閉めが旱く、清潔感も向上し、コストも安い。
【図面の簡単な説明】
【図１】  本発明の斜視図
【図２】  本発明の断面図
【符号の説明】
１  ゴミ容器
２  蓋
３  フック
４  開口部のふち
５  蓋留め金具
６  取っ手
【図１】
0003106551.tif 000002
【図２】
0003106551.tif 000003
(57)【要約】      （修正有）【課題】透明ケースと透明上蓋を通してLEDの光は正面前方と側面から投射され、良好な光の拡散効果を形成するLEDランプを提供する。【解決手段】主に照明器具台2、照明器具3、透明上蓋4を含む。該照明器具台上には透明ケース20を設置し、該透明ケース内壁の適当な位置には設置縁21を設置し、該透明ケース上端には階段部22を設置し、該照明器具は該照明器具台の透明ケース内に設置し、該照明器具は回路板30を設置し、該回路板は該照明器具台の設置縁上に設置し、該回路板の上下面において若干のLED31を設置し、かつ該照明器具は電源コード32を設置し、該照明器具台と接続し、該透明上蓋は該照明器具台上を蓋合し、該透明上蓋の下方にはフランジ40を設置し、該照明器具台の階段部と嵌合する。【選択図】図2
0003106557.tif 000002
【実用新案登録請求の範囲】
【請求項１】
主に照明器具台、照明器具、透明上蓋を含み、
該照明器具台上には透明ケースを設置し、該透明ケース内壁の適当な位置には設置縁を設置し、該透明ケース上端には階段部を設置し、
該照明器具は該照明器具台の透明ケース内に設置し、該照明器具は回路板を設置し、該回路板は該照明器具台の設置縁上に設置し、該回路板の上下位置において若干のLEDを設置し、かつ該照明器具は電源コードを設置し、該照明器具台と接続し、
該透明上蓋は該照明器具台上を蓋合し、該透明上蓋の下方にはフランジを設置し、該照明器具台の階段部と嵌合し、
上記構造において該照明器具は該照明器具台内の設置縁上に設置され、該透明ケース上端は防水塗料を塗布し、該透明上蓋で蓋合し、こうして該透明ケースと該透明上蓋を通して該LEDの光は正面前方と側面から投射され、良好な光の拡散効果を形成することを特徴とするLEDランプ。
【考案の詳細な説明】
【技術分野】
【０００１】
本考案は一種のLEDランプに関する。特に一種の照明器具台上に透明ケースを設置し、透明ケース内壁に設置縁を設置し、設置縁には照明器具を設置し、照明器具は回路板と若干のLEDを設置し、かつ照明器具には電源コードを設置し照明器具台と接続し、また透明ケース上方は透明上蓋により蓋合し、こうして構成するLEDランプは透明ケースと透明上蓋によりLEDの光は正面前方と側面から投射され、良好な光線拡散效果を達成するLEDランプに係る。
【背景技術】
【０００２】
一般に自動車用ライトとして使用される照明器具1構造は図１に示すように、照明器具台10上に光源としてランプ11を組合せるものである。該公知の照明器具1のランプ11のタングステンフィラメントは高温により焼け損壊し易く、或いは自動車の震動により断裂し易い。しかもその光線は目に刺激的である。
【考案の開示】
【考案が解決しようとする課題】
【０００３】
公知構造には以下の欠点があった。
すなわち、公知照明器具のランプのタングステンフィラメントは高温により焼け損壊し易く、或いは自動車の震動により断裂し易い。しかもその光線は目に刺激的である。
本考案は上記構造の問題点を解決したLEDランプを提供するものである。
【課題を解決するための手段】
【０００４】
上記課題を解決するため、本考案は下記のLEDランプを提供する。
それは主に照明器具台、照明器具、透明上蓋を含み、
該照明器具台上には透明ケースを設置し、該透明ケース内壁の適当な位置には設置縁を設置し、該透明ケース上端には階段部を設置し、
該照明器具は該照明器具台の透明ケース内に設置し、該照明器具は回路板を設置し、該回路板は該照明器具台の設置縁上に設置し、該回路板の上下面において若干のLEDを設置し、かつ該照明器具は電源コードを設置し、該照明器具台と接続し、
該透明上蓋は該照明器具台上を蓋合し、該透明上蓋の下方にはフランジを設置し、該照明器具台の階段部と嵌合することを特徴とするLEDランプである。
【考案の効果】
【０００５】
上記のように、本考案は照明器具を照明器具台内の設置縁上に設置し、透明ケース上端は防水塗料を塗布し、透明上蓋で蓋合することにより、透明ケースと透明上蓋を通してLEDの光は正面前方と側面から投射され、良好な光の拡散効果を形成することができる。
【考案を実施するための最良の形態】
【０００６】
図２、３、４に示すように、本考案は主に照明器具台2、照明器具3、透明上蓋4を含む。
該照明器具台2上に透明ケース20を設置する。該透明ケース20内壁の適当な位置には設置縁21を設置し、該透明ケース20上端には階段部22を設置する。
該照明器具3は該照明器具台2の透明ケース20内に設置する。該照明器具3は回路板30、若干のLED31を含み、かつ該照明器具3は電源コード32を設置し該照明器具台2と接続する。該回路板30は該照明器具台2の設置縁21上に設置し、該照明器具3は該回路板30の上下両面にLED31を設置する。
該透明上蓋4は該照明器具台3上を覆蓋する。該透明上蓋4の端縁にはフランジ40を設置し、該照明器具台2の階段部22と嵌合する。
【０００７】
組立て時には、図２、３、４に示すように、該照明器具3の回路板30を該照明器具台20内の設置縁21上に設置し、該透明ケース20上の階段部22において防水塗料を塗布する。さらに、該透明上蓋4は該フランジ40と照明器具台2の階段部22により対応蓋合し、組立てを完成する。
こうして構成されたLEDランプは、多数の屈折面50を具えた設計の光反射板5(図５参照)を合わせ、該照明器具3のLED31の光は、該透明ケース20と該透明上蓋4を通して正面前方及び側面から透過し、光反射板5に投射し、屈折面50を通して異なる角度から四方八方に射出される。このように大面積の屈折投射を形成し、光拡散の効果を具えるだけでなく、目に明らかで見易い光により照明としての效果を向上させることができる。
【図面の簡単な説明】
【０００８】
【図１】公知の照明器具の指示図である。
【図２】本考案の立体分解図である。
【図３】本考案の組合せ図である。
【図４】本考案の組合せ断面図である。
【図５】本考案の使用状態参考図である。
【符号の説明】
【０００９】
1  照明器具   
10  照明器具台
11  ランプ
2  照明器具台
20 透明ケース
21 設置縁
22 階段部
3  照明器具
30 回路板
31 LED
32 電源コード
4  透明上蓋
40フランジ
5 光反射板
50  屈折面
【図１】
0003106557.tif 000003
【図２】
0003106557.tif 000004
【図３】
0003106557.tif 000005
【図４】
0003106557.tif 000006
【図５】
0003106557.tif 000007